(57)【要約】【課題】  ベビーカーを収納や携帯時に折り畳み状態とした時にさらに高さ方向の寸法も小さくできるようにしたベビーカーを得ること。  【解決手段】  収納や携帯時に折り畳み状態とし得るようにしたベビーカーにおいて、Ｕ字状に屈曲された手押し杆の左右直管部３１をその軸線方向に伸縮可能として、上記収納や携帯時に折り畳み状態としたときに上記手押し杆の長さを短くし、車体の高さ方向寸法を小さくし得るようにした。【選択図】  図１
2006117002.tif 000002
【特許請求の範囲】
【請求項１】
収納や携帯時に折り畳み状態とし得るようにしたベビーカーにおいて、Ｕ字状に屈曲された手押し杆の左右直管部をその軸線方向に伸縮可能として、上記収納や携帯時に折り畳み状態としたときに上記手押し杆の長さを短くし、車体の高さ方向寸法を小さくし得るようにしたことを特徴とするベビーカー。
【請求項２】
手押し杆の左右直管部の一部を、大径パイプ内に小径パイプを摺動可能に挿入した内外２重パイプによって構成するとともに、上記小径パイプ内に径方向にのみ進退可能なロックピンが設けられ、上記大径パイプには手押し杆の収縮時及び伸張時に上記ロックピンが選択的に係合する嵌合穴が設けられていることを特徴とする、請求項１記載のベビーカー。
【請求項３】
上記小径パイプ内には、その小径パイプに軸線方向に摺動可能に装着されたアジャスト操作部材により軸線方向に移動可能なアジャストホルダーが配設されており、そのアジャストホルダーの下端部が前記ロックピンの基端部にカムを介して係合され、上記アジャストホルダーの移動により上記ロックピンが進退され、前記大径パイプに形成された嵌合穴に係脱されることを特徴とする、請求項２記載のベビーカー。
【請求項４】
手押し杆の左右直管部が、小径の下部パイプと、小径の上部パイプと、上記下部パイプと上部パイプとを連結する大径のジョイントパイプにより構成されており、上記上部パイプにアジャスト操作部材が装着されるとともに、その上部パイプ内にアジャストホルダーが軸線方向に移動可能に配設されていることを特徴とする、請求項３記載のベビーカー。
【発明の詳細な説明】
【技術分野】
【０００１】
本発明は、ベビーカーに係り、特に収納時や携帯時に折り畳み可能としたベビーカーに関する。
【背景技術】
【０００２】
一般に、乳幼児を散歩や買い物等のために屋外に連れ出す場合に使用するベビーカーにおいては、必要に応じて折り畳み、収納や携帯が容易になるようにするとともに、乳幼児の背面から手押しする背面手押し状態としたり、使用者が乳幼児と対面する対面手押し状態とするものが種々提案されている。
【０００３】
すなわち、図９は従来のベビーカーの概略構成を示す斜視図、図１０はその側面図であって、前輪１１を有する左右１対の前脚１２、後輪１３を有する左右１対の後脚１４、ほぼＵ字状に屈曲された手押し杆１５、左右１対のアームレスト１６、及びそのアームレスト１６の一端がそれぞれ枢着された、互いに平行に延びる左右２本の支持パイプ１７を有している。
【０００４】
上記各アームレスト１６の他端部には前脚１２の上端が枢着されており、その左右のアームレスト１６の先端部間には弧状の屈曲可能なガードアーム１８が着脱自在に掛け渡されている。また左右のアームレスト１６には後脚１４の上端が枢着されている。左右の前脚１２は足乗せ板１９を有する前側連結バー２０によって連結されており、左右の後脚１４は後側連結バー２１により連結されている。さらに各前脚１２の中間部には連結バー２２の前端がそれぞれ枢着され、その連結バー２２の後端は、それぞれ前記支持パイプ１７の下部に固着された後脚支持部材２３に枢着されている。また左右の連結バー２２は上側連結バー２４によって連結されている。そして、これらの前脚１２、後脚１４、アームレスト１６、支持パイプ１７、及びそれらを連結する連結バーによってベビーカー本体が構成されている。
【０００５】
図１１に示すように、後脚１４にはＬ字状のブラケット２５の下端部が軸２５bによって枢着されており、その中間部が軸２５ｃによって上記後脚支持部材２３に枢着されている。そのブラケット２５の自由端部には後脚１４を支持パイプ１７にロックするロック部材２６の係止段部２６ａと係合する切り欠き段部２５ａが設けられている。上記ロック部材２６は上記支持パイプ１７に摺動可能に装着されており、手押し杆１５に設けられている遠隔操作装置によって支持パイプ１７に沿って上下摺動操作されるようにしてある。また、後脚支持部材２３には後脚１４と対向する面に展開時の後脚１４に当接しその展開状態を保持する段部２３ａが形成されている。
【０００６】
しかして、図１１に示すようにロック部材２６がＬ字状のブラケット２５の切り欠き段部２５ａに係合すると、そのブラケット２５を介して後脚１４と支持パイプ１７とがロックされ、ベビーカー本体が使用可能な展開状態に保持される。一方、遠隔操作装置によってロック部材２６が一点鎖線で示すように引き上げられると、ロック部材２６によるロックが解放され、アームレスト１６、前脚１２、後脚１４が図１２で一点鎖線で示すように上方に揺動可能となり、携帯等に便利なように２つに折り畳むことができる。
【０００７】
ところで、図９及び図１０に示すように、左右の支持パイプ１７の下部にそれぞれ固着された後脚支持部材２３には、その外側面にほぼＵ字状の手押し杆１５の下端部が軸２７を中心として前後に揺動可能に枢着されており、上記手押し杆１５を後方位置（実線位置）に保持することにより背面手押し状態とすることができ、また上記手押し杆１５を前方に揺動させた状態（２点鎖線）にすることにより、対面手押し状態とすることができる。
【０００８】
一方、前記Ｕ字状の手押し杆１５、前側連結バー２０、後側連結バー２１、及び上側連結バー２４にはそれぞれ中間部の２ヵ所にジョイント１５ａ１、１５ａ２、２０ａ１、２０ａ２、２１ａ１、２１ａ２、２４ａ１、２４ａ２が設けられ、そのジョイントにより折り畳み可能としてある。そして、上記各ジョイントは、ジョイント１５ａ１、２０ａ１、２１ａ１、２４ａ１  の軸線、及びジョイント１５ａ２、２０ａ２、２１ａ２、２４ａ２ の軸線が、前脚１２と後脚１４とが互いに平行状態に折り畳まれた状態の時に、それぞれ同一軸線上に位置し、且つ互いに平行になるようにしてある。
【０００９】
しかして、前述のように前脚１２と後脚１４とが互いに平行状態になるように折り畳んだ後、手押し杆１５のジョイントより外側部分を前方に移動させると、各ジョイントによって手押し杆１５、前側連結バー２０、後側連結バー２１、上側連結バー２４の外側部が前方に折り曲げられ、ベビーカーを図１３に示すように平面視コ字状の三つ折り状態にコンパクトに折り畳むことができる。
【特許文献１】特開２００２−３１６６５０号公報
【発明の開示】
【発明が解決しようとする課題】
【００１０】
ところが、上記ベビーカーにおいては上記二つ折り或いは三つ折り状態に折り畳んだ時には平断面の面積すなわち縦横の寸法を小さくすることができるが、手押し杆の長さは一定であるため、上述のように折り畳んだ状態においてもベビーカーの高さ方向の寸法は小さくならない等の問題がある。
【００１１】
本発明は、このような点に鑑み、収納や携帯時に折り畳み状態とした時にさらに高さ方向の寸法も小さくできるようにしたベビーカーを得ることを目的とする。  
【課題を解決するための手段】
【００１２】
請求項１に係る発明は、収納や携帯時に折り畳み状態とし得るようにしたベビーカーにおいて、Ｕ字状に屈曲された手押し杆の左右直管部をその軸線方向に伸縮可能として、上記収納や携帯時に折り畳み状態としたときに上記手押し杆の長さを短くし、車体の高さ方向寸法を小さくし得るようにしたことを特徴とする。
【００１３】
請求項２に係る発明は、請求項１に係る発明において、手押し杆の左右直管部の一部を、大径パイプ内に小径パイプを摺動可能に挿入した内外２重パイプによって構成するとともに、上記小径パイプ内に径方向にのみ進退可能なロックピンが設けられ、上記大径パイプには手押し杆の収縮時及び伸張時に上記ロックピンが選択的に係合する嵌合穴が設けられていることを特徴とする。
【００１４】
請求項３に係る発明は、請求項２に係る発明において、上記小径パイプ内には、その小径パイプに軸線方向に摺動可能に装着されたアジャスト操作部材により軸線方向に移動可能なアジャストホルダーが配設されており、そのアジャストホルダーの下端部が前記ロックピンの基端部にカムを介して係合され、上記アジャストホルダーの移動により上記ロックピンが進退され、前記大径パイプに形成された嵌合穴に係脱されることを特徴とする。
【００１５】
請求項４に係る発明は、請求項３に係る発明において、手押し杆の左右直管部が、小径の下部パイプと、小径の上部パイプと、上記下部パイプと上部パイプとを連結する大径のジョイントパイプにより構成されており、上記上部パイプにアジャスト操作部材が装着されるとともに、その上部パイプ内にアジャストホルダーが軸線方向に移動可能に配設されていることを特徴とする。  
【発明の効果】
【００１６】
本発明は、上述のように、Ｕ字状に屈曲された手押し杆の左右直管部をその軸線方向に伸縮可能として、上記収納や携帯時に折り畳み状態としたときに上記手押し杆の長さを短くし得るようにしたので、折り畳んだ状態において縦横の寸法のみならず高さ方向の寸法をも小さくすることができ、収納や携帯時におけるベビーカーの形状をよりコンパクトにすることができ、収納や携帯の便利性を向上することができる。
【発明を実施するための最良の形態】
【００１７】
以下、添付図面を参照して本発明の実施の形態について説明する。
【００１８】
図１は本発明のベビーカーにおける手押し杆の直管部３１の縦断面図であり、図２はその拡大部分図である。上記手押し杆の直管部３１は、ベビーカー本体に下端部が装着された小径の下部パイプ３２と、小径の上部パイプ３３と、上記下部パイプ３２と上部パイプ３３とを連結する大径のジョイントパイプ３４により形成されており、上記小径の下部パイプ３２の頂端部にブッシュ３５を介して大径のジョイントパイプ３４の下部が嵌装され、そのジョイントパイプ３４がピン３６により下部パイプ３２に固着されている。上記大径のジョイントパイプ３４の上部には上記小径の上部パイプ３３が入り子式に軸線方向に摺動可能に挿入され、その上部パイプ３３の移動により手押し杆の直管部３１が伸縮可能としてある。
【００１９】
上記小径の上部パイプ３３内には、アジャストホルダー３７が上部パイプ３３に沿って移動可能に設けられており、上記アジャストホルダー３７の下部にはロックピン保持部３７ａが設けられている。上記ロックピン保持部３７ａには互いに平行な対向する面が形成されており、その対向する面に斜め上方に延びるカム溝３７ａ１ が設けられ、そのカム溝３７ａ１に後述するロックピン３８の基端に形成された左右のカム部が係合されている。すなわち、上記小径の上部パイプ３３には、図２に示すように、ロックピンガイド３９が装着されており、そのロックピンガイド３９に上記ロックピン３８が上部パイプ３３に対して径方向に移動可能に嵌挿されており、そのロックピン３８の基端に形成された左右のカム部が上記カム溝３７ａ１ 係合されている。
【００２０】
一方、上記大径のジョイントパイプ３４には、上記上部パイプ３３が最大引き抜き位置にある手押し杆の伸張時、および上部パイプ３３がジョイントパイプ３４内に挿入された手押し杆の収縮時に上記ロックピン３８と対応する位置に、上記ロックピン３８が選択的に係合する嵌合穴４０、４１が設けられている。そして、上記大径のジョイントパイプ３４の頂端部には上記嵌合穴４０部を覆うジョイントパイプキャップ４２が固着されるとともに、上記嵌合穴４１に対応する位置には上記嵌合穴４１を覆う穴カバー４３が設けられている。
【００２１】
また、上記上部パイプ３３には、その上部位置に同軸的にグリップエンド４４が嵌装されており、そのグリップエンド４４と上部パイプ３３とに形成された軸線方向に延びる長穴４５にピン４６が嵌挿され、そのピン４６に上記アジャストホルダー３７の頂部が連結されている。そして、上記上部パイプ３３に設けられたバネ受け４７とアジャストホルダー３７との間に、上記アジャストホルダー３７を下方に付勢するアジャストスプリング４８が介装されている。さらに、上記グリップエンド４４には筒状のアジャスト操作部材４９が嵌装されており、そのアジャスト操作部材４９が前記ピン４６に連結されている。
【００２２】
しかして、収納或いは携帯時に、従来のベビーカーと同様に二つ折り状態或いは三つ折り状態にした後、アジャスト操作部材４９を図１に示す位置からアジャストスプリング４７に抗して図２に示す位置に引き上げると、アジャストホルダー３７が上動され、アジャストホルダー３７のカム溝３７ａ１ との係合によってロックピン３８が上部パイプ３３内に引き込められ、大径のジョイントパイプ３４の嵌合穴４０との係合が解放される（図３の（ａ）参照）。そこで、上部パイプ３３をジョイントパイプ３４内に完全に挿入し、アジャスト操作部材４９から手を離すと、アジャストホルダー３７がアジャストスプリング４７によって上部パイプ３３に対して下降し、図３の（ｂ）に示すようにロックピン３８が径方向に突出され、上記ロックピン３８が下方の嵌合穴４１に係合する。したがって、手押し杆の直管部３１が図１の状態から図３の（ｂ）に示す収縮状態とされ、ベビーカーの高さを図３、図４のＬ寸法だけ低くすることができ、収納或いは携帯に便利なようにコンパクトにすることができる。図４の右半側にベビーカーを三つ折り状態に折り畳んだだけの状態を、左半側にさらに手押し杆を点線で示す位置から実線で示す位置に収縮させ、その高さを低くした状態を示す。
【００２３】
一方、ベビーカーを使用する場合には、上記アジャスト操作部材４９を上方に操作することによりロックピン３８を嵌合穴４１から離脱させた後、上部パイプ３３を上方に移動させると、上部パイプ３３に設けられたロックピンガイド３９がジョイントパイプ３４の頂端開口部に固着された第１のインナーブッシュ５０に当接する。そこで、アジャスト操作部材４９から手を離せばロックピン３８が上方の嵌合穴４０に係合され、上部パイプ３３がジョイントパイプ３４に対して固定状態となり、手押し杆を伸張させた通常の使用状態にすることができる。
【００２４】
なお、上記実施の形態においては、手押し杆の直管部を小径の下部パイプ３２と、小径の上部パイプ３３と、下部パイプ３２と上部パイプ３３を連結する大径のジョイントパイプ３４により構成したものを示したが、互いに摺動・伸縮自在に嵌合した２本のパイプにより構成してもよい。しかしながら、上記実施の形態のように中間のジョイントパイプ３４のみを大径とすることにより、手押し杆の重量を軽減することができる。
【００２５】
ところで、上述のように手押し杆を構成するパイプを、大径のパイプ内に小径のパイプを嵌挿して摺動・伸縮可能な構成とする場合には両者間にクリアランスが必要であるが、一方では製品使用時にガタとなって使用者に不快感・不安感を与えるため、上記クリアランスは極力抑える必要がある。そこで、ジョイントパイプ３４の頂端開口部内面には上部パイプ３３が摺動する第１のインナーブッシュ５０が固着されており、さらに、上部パイプ３３の下端外周にはジョイントパイプ３４の内面に摺接する第２のインナーブッシュ５１が固着されている。
【００２６】
図５（ａ）、（ｂ）は上記手押し杆の直管部３１の縦断側面図であり、図６は図５（ａ）、（ｂ）のＥ−Ｅ断面、図７はＦ−Ｆ断面を示す。図５および図６に示すように、第１のインナーブッシュ５０にはその一側方に突出するオフセット部５０ａが形成されており、第２のインナーブッシュ５１には、図５および図７に示すように、第１のインナーブッシュ５０と径方向反対側に突出するオフセット部５１ａが形成されている。
【００２７】
しかして、図５（ａ）および図８（ａ）に示すように、手押し杆の直管部３１が伸張している場合には、第１のインナーブッシュ５０とインナーパイプすなわち小径の上部パイプ３３の外面が密着させられるとともに、第２のインナーブッシュ５１とアウターパイプすなわち大径のジョイントパイプ３４の内面が密着させられ、上部パイプ３３とジョイントパイプ３４間のガタが抑えられる。一方、図５（ｂ）および図８（ｂ）に示すように、手押し杆の直管部３１が短縮される場合には、第１のインナーブッシュ５０と第２のインナーブッシュ５１が離れるにつれて、第１のインナーブッシュ５０と上部パイプ３３との間および第２のインナーブッシュ５１とジョイントパイプ３４との間にクリアランスが発生し、上部パイプ３３の挿脱を容易に行うことができる。
【００２８】
また、上記実施の形態においては第１のインナーブッシュ５０および第２のインナーブッシュ５１にオフセット部５０ａ、５１ａを設けたものを示したが、上記インナーブッシュ５０、５１の対向面に互いに係合可能な傾斜面を設け、手押し杆の直管部３１が伸張している場合には両インナーブッシュの傾斜面が密着係合し、上部パイプ３３とジョイントパイプ３４間のガタが抑えられるようにしてもよい。
【００２９】
ところで、上記手押し杆の上部パイプ３３内に設けられているアジャストホルダー３７には、図２および図５に示すように、上記アジャストホルダー３７の軸線に直交するピン３７ｂが突設されており、前記直管部３１内に収納され、ベビーカーを折り畳み操作時に遠隔操作装置によって作動されるワイヤ５３が上記ピン３７ｂに緩くループ状に巻装されている。
【００３０】
しかして、上記直管部３１の伸縮動作に対応して上記ワイヤ５３のループ部がピン３７ｂにより案内され、ワイヤ５３に縺れが生じることが確実に阻止され、上記直管部３１の伸縮動作をスムースに行うことができる。
【図面の簡単な説明】
【００３１】
【図１】本発明における手押し杆の直管部の縦断面図。
【図２】図１の拡大部分図。
【図３】（ａ）、（ｂ）はそれぞれ手押し杆の作動説明図。
【図４】本発明のベビーカーの折り畳んだ状態を示す正面図。
【図５】本発明のベビーカーにおける手押し杆の縦断側面図であり、（ａ）は伸張時、（ｂ）は収縮時を示す図。
【図６】図５（ａ）の  Ｅ−Ｅ断面図。
【図７】図５（ａ）のＦ−Ｆ断面図。
【図８】手押し杆の直管部におけるガタ抑制部の作動説明図。
【図９】従来のベビーカーの斜視図。
【図１０】上記ベビーカーの側面図。
【図１１】パイプと後脚との連結部の拡大側面図。
【図１２】ベビーカーの２つ折り状態の説明図。
【図１３】ベビーカーの三つ折り状態の概略形状を示す斜視図。
【符号の説明】
【００３２】
３１  手押し杆の直管部
３２  下部パイプ
３３  上部パイプ
３４  ジョイントパイプ
３５  ブッシュ
３７  アジャストホルダー
３７ａ  ロックピン保持部
３７ａ１  カム溝
３８  ロックピン
４０、４１  嵌合穴
４２  ジョイントパイプキャップ
４３  穴カバー
４５  長穴
４８  アジャストスプリング
４９  アジャスト操作部材
５０  第１のインナーブッシュ
５０ａ  オフセット部
５１  第２のインナーブッシュ
５１ａ  オフセット部
５３  ワイヤ
【図１】
2006117002.tif 000003
【図２】
2006117002.tif 000004
【図３】
2006117002.tif 000005
【図４】
2006117002.tif 000006
【図５】
2006117002.tif 000007
【図６】
2006117002.tif 000008
【図７】
2006117002.tif 000009
【図８】
2006117002.tif 000010
【図９】
2006117002.tif 000011
【図１０】
2006117002.tif 000012
【図１１】
2006117002.tif 000013
【図１２】
2006117002.tif 000014
【図１３】
2006117002.tif 000015